(57)【要約】【課題】レーザーダイオードを保持するＬＤホルダー単独で、あおり動作等を行ってレーザーダイオードの調整ができ、ＬＤホルダー以外の板バネ等の部品を省略してコストダウンを図ることができる光ピックアップ装置を提供する。【解決手段】ベースシャーシ２の側壁面２ａに、レーザーダイオード１を保持したＬＤホルダー１０を、そのレーザーダイオード１が回折格子６の正面に位置するように取付けた光ピックアップ装置であって、ＬＤホルダー１０のレーザーダイオード１を挟んで両側の表面に、ベースシャーシ２の側壁面２ａと線接触又は点接触する一組のＬＤ調整用凸部１０ａ，１０ａが形成されている構成とする。ＬＤ調整用凸部１０ａを支点としてＬＤホルダー１０単独であおり動作などを行い、レーザーダイオード１を調整できるので、ＬＤホルダー以外の部品が不要となり、部品点数の削減とコストダウンを図ることができる。【選択図】図３
2008084363.tif 000002
【特許請求の範囲】
【請求項１】
回折格子、偏光ビームスプリッター又はハーフミラー、立上げミラー、コリメートレンズ、対物レンズ、対物レンズアクチュエータ、光検出器などが装着されたベースシャーシの側壁面に、レーザーダイオードを保持したＬＤホルダーを、そのレーザーダイオードが回折格子の正面に位置するように取付けた光ピックアップ装置であって、
上記ＬＤホルダーのレーザーダイオードを挟んで両側の表面に、上記ベースシャーシの側壁面と線接触する一組の蒲鉾形のＬＤ調整用凸部が、レーザーダイオードのＬＤホルダーに対する回転取付角度に対応する角度で斜め方向に形成されており、上記ＬＤホルダーの両側面に、治具で挟まれる凹所が形成されていることを特徴とする光ピックアップ装置。
【請求項２】
回折格子、偏光ビームスプリッター又はハーフミラー、立上げミラー、コリメートレンズ、対物レンズ、対物レンズアクチュエータ、光検出器などが装着されたベースシャーシの側壁面に、レーザーダイオードを保持したＬＤホルダーを、そのレーザーダイオードが回折格子の正面に位置するように取付けた光ピックアップ装置であって、
上記ＬＤホルダーのレーザーダイオードを挟んで両側の表面に、上記ベースシャーシの側壁面と線接触又は点接触する一組のＬＤ調整用凸部が形成されていることを特徴とする光ピックアップ装置。
【請求項３】
上記ＬＤホルダーの両側面に、治具で挟まれる凹所が形成されていることを特徴とする請求項２に記載の光ピックアップ装置。
【発明の詳細な説明】
【技術分野】
【０００１】
本発明は、光ディスク装置に搭載される光ピックアップ装置に関し、特に、レーザーダイオードの取付部分を改良して部品の削減とコストダウンを図った光ピックアップ装置に関する。
【背景技術】
【０００２】
光ディスク装置に搭載される従来の光ピックアップ装置は、一般に、回折格子（グレーティング）、偏光ビームスプリッター又はハーフミラー、立上げミラー、コリメートレンズ、対物レンズ、対物レンズアクチュエータ、光検出器などを装着したベースシャーシの側壁面に、レーザーダイオードを保持したＬＤホルダーを、そのレーザーダイオードが回折格子の正面に位置するように取付けた構造を有している。
【０００３】
このような従来の光ピックアップ装置においては、図６に示すように、レーザーダイオード１を保持したホルダー１０１を、その中間支軸部１０１ａでバネ板１０２に対して揺動可能に取付け、このバネ板１０２の左右のコ字形挟持部１０２ａ，１０２ａでベースシャーシの側壁を挟持させてホルダー１０１をベースシャーシの側壁面に仮止めし、ホルダー１０１の中間支軸部１０１ａを中心にしてホルダー１０１の所謂あおり動作（シーソーの動き）を行うと共に、バネ板１０２をベースシャーシの側壁面沿いに摺動させることによって、レーザーダイオード１の光軸、光度分布、取付位置などの調整を行い、その後、ホルダー１０１とバネ板１０２とベースシャーシの側壁面を互いに接着して固定したものが多い。
【０００４】
一方、レーザーダイオードを保持するホルダーの上下に円筒部を設け、この円筒部をホルダー受けのＶ字溝に係合させてあおり調整機構を形成した光ヘッドが提案されている（特許文献１）。また、ホノグラムレーザーユニットを受けるレーザーホルダーの受面に、レーザビームの光軸に垂直な端面を有する左右一対の凸部を形成して、ホノグラムレーザーユニットの調整時に回転させやすくした光ピックアップ装置のグレーティング調整機構（特許文献２）や、レーザ素子を保持するホルダーと光ヘッド筐体との間にレーザー発光素子の調整部材を介在させた光ヘッド（特許文献３）も提案されている。
【特許文献１】特開２００３−４５０４１号公報
【特許文献２】特開２０００−２５１２６８号公報
【特許文献３】特開２００２−３０４７４４号公報
【発明の開示】
【発明が解決しようとする課題】
【０００５】
しかしながら、前述した従来の光ピックアップ装置は、ホルダー１０１のあおり動作によるレーザーダイオード１の調整や、メインシャーシの側壁面に対するホルダー１０１の取付けを行う上でバネ板１０２が必須であるため、このバネ板１０２を省略して部品点数の削減とコストダウンを図ることができないという問題がある。
【０００６】
そして、前記特許文献１の光ヘッドも、レーザーダイオードを保持するホルダーの円筒部をホルダー受けのＶ字溝に係合させるあおり調整機構を採用しているため、ホルダー受けを省略して部品点数の削減とコストダウンを図ることができないという問題があり、同様に、前記特許文献３の光ヘッドも、レーザ素子を保持するホルダーと光ヘッド筐体との間にレーザー発光素子の調整部材を介在させているため、この調整部材を省略して部品点数の削減とコストダウンを図ることができないという問題がある。また、特許文献２のグレーティング調整機構は、ホノグラムレーザーユニットを回転させて調整することはできても、ホノグラムレーザーユニットをあおり動作させて調整することはできないという問題がある。
【０００７】
本発明は上記事情の下になされたもので、その解決しようとする課題は、レーザーダイオードを保持するＬＤホルダー単独で、あおり動作とベースシャーシの側壁面に沿った摺動動作を行わせて、レーザーダイオードの調整ができるようにし、ＬＤホルダー以外の板バネやホルダー受けなどの部品を省略してコストダウンを図れるようにした光ピックアップ装置を提供することにある。
【課題を解決するための手段】
【０００８】
上記課題を解決するため、本発明に係る光ピックアップ装置は、回折格子、偏光ビームスプリッター又はハーフミラー、立上げミラー、コリメートレンズ、対物レンズ、対物レンズアクチュエータ、光検出器などが装着されたベースシャーシの側壁面に、レーザーダイオードを保持したＬＤホルダーを、そのレーザーダイオードが回折格子の正面に位置するように取付けた光ピックアップ装置であって、上記ＬＤホルダーのレーザーダイオードを挟んで両側の表面に、上記ベースシャーシの側壁面と線接触又は点接触する一組のＬＤ調整用凸部が形成されていることを特徴とするものである。
【０００９】
本発明の光ピックアップ装置においては、ＬＤホルダーの両側面に、治具で挟まれる凹所が形成されていることが好ましい。
【００１０】
そして、本発明の更に具体化された好ましい光ピックアップ装置は、回折格子、偏光ビームスプリッター又はハーフミラー、立上げミラー、コリメートレンズ、対物レンズ、対物レンズアクチュエータ、光検出器などが装着されたベースシャーシの側壁面に、レーザーダイオードを保持したＬＤホルダーを、そのレーザーダイオードが回折格子の正面に位置するように取付けた光ピックアップ装置であって、上記ＬＤホルダーのレーザーダイオードを挟んで両側の表面に、上記ベースシャーシの側壁面と線接触する一組の蒲鉾形のＬＤ調整用凸部が、レーザーダイオードのＬＤホルダーに対する回転取付角度に対応する角度で斜め方向に形成されており、上記ＬＤホルダーの両側面に、治具で挟まれる凹所が形成されていることを特徴とするものである。ここに、「蒲鉾形のＬＤ調整用凸部」とは、蒲鉾に似た半楕円形や半円形の断面形状を有するＬＤ調整用凸部の他に、先端が凸曲面とされた略三角山形の断面形状を有するＬＤ調整用凸部や、先端が尖った三角山形の断面形状を有するＬＤ調整用凸部なども包含する広い概念の用語である。
【発明の効果】
【００１１】
本発明の光ピックアップ装置のように、ＬＤホルダーのレーザーダイオードを挟んで両側の表面に、ベースシャーシの側壁面と線接触又は点接触する一組のＬＤ調整用凸部が形成されていると、ＬＤホルダーをベースシャーシの側壁面に接着固定する前に、ＬＤ調整用凸部をベースシャーシの側壁面に線接触又は点接触させたまま、このＬＤ調整用凸部を支点にしてＬＤホルダーをあおり動作させると共に、ベースシャーシの側壁面沿いにＬＤホルダーを摺動させることによって、レーザーダイオードの光軸、光度分布、取付位置などの調整を従来と同様の精度で行うことができ、調整後、そのままの姿勢でＬＤホルダーをベースシャーシの側壁面に接着して取付固定することができる。このように、本発明の光ピックアップ装置は、ＬＤホルダー単独でレーザーダイオードの調整を行うことができるので、ＬＤホルダー以外のバネ板やホルダー受けなどの部品が不要となり、部品点数の削減とコストダウンを図ることができる。
【００１２】
上記のレーザーダイオードの調整作業やＬＤホルダーの接着作業は、ＬＤホルダーを治具で挟持して行われるが、その場合、ＬＤホルダーの両側面に、治具で挟まれる凹所が形成されていると、ＬＤホルダーを落としたり位置ずれさせたりすることなく、治具でＬＤホルダーの該凹所を確実に挟持して、正確にレーザーダイオードの調整作業やＬＤホルダーの接着作業を行うことができる。
【００１３】
そして、更に具体的な好ましい光ピックアップ装置のように、ＬＤホルダーのレーザーダイオードを挟んで両側の表面に、ベースシャーシの側壁面と線接触する一組の蒲鉾形のＬＤ調整用凸部が、レーザーダイオードのＬＤホルダーに対する回転取付角度に対応する角度で斜め方向に形成されたものは、上記の作用効果に加えて、ＬＤ調整用凸部を支点としてＬＤホルダーをあおり動作させると、そのあおり動作の方向にレーザーダイオードの光軸等を正確に振ることが可能となり、レーザーダイオードの回転取付角度とＬＤ調整用凸部の方向が一致しない場合のように、あおり動作の方向とレーザーダイオードの光軸等が振れる方向とのあいだにズレが生じなくなるので、調整作業が一層しやすくなる。しかも、ＬＤ調整用凸部がベースシャーシの側壁面に線接触していると、点接触する場合に比べて、レーザーダイオードからＬＤホルダーのＬＤ調整用凸部を通ってベースシャーシへ放熱する効率が高くなるため、レーザーダイオードの劣化を抑制することも可能となる。
【発明を実施するための最良の形態】
【００１４】
以下、図面を参照して本発明の具体的な実施形態を詳述する。
【００１５】
図１は本発明の一実施形態に係る光ピックアップ装置の底面図、図２は同装置の分解斜視図、図３は図１におけるＬＤホルダー取付部分の拡大図、図４は同装置に取付けられるレーザーダイオードを保持したＬＤホルダーの斜視図、図５は同ＬＤホルダーを倒した状態の斜視図である。
【００１６】
この光ピックアップ装置は、光ディスク記録・再生装置などに搭載されるものであって、図２に示すように、アルミダイカスト等の金属製のベースシャーシ２の上面には、対物レンズアクチュエータ３と、その支持ベース３ａが取付けられている。この対物レンズアクチュエータ３は、対物レンズ４を駆動して、光ディスクに対するフォーカス制御とトラック制御を行うもので、ベースシャーシ２の中央付近の孔に固定されたコリメートレンズ５の真上に上記の対物レンズ４が位置するように位置決めされている。
【００１７】
一方、このベースシャーシ１の裏面側には、図１に示すように、レーザーダイオード１から出たレーザービームを回折して３ビームを発生させる回折格子６と、このビームを直角に反射させるハーフミラー７と、直角に反射されたビームを更に上方に反射させる立上げミラー８が装着されており、この立上げミラー８は前記コリメートレンズ５の直下に位置決めされている。そして、上記のレーザーダイオード１を保持したＬＤホルダー１０は、そのレーザーダイオード１が回折格子６の正面に位置するようにベースシャーシ２の側壁面２ａに取付けられており、更に、ハーフミラー７を挟んで立上げミラー８と反対側のベースシャーシ側壁面には、光ディスクからの反射光を検出する光検出器９が取付けられている。尚、このＬＤホルダー１０については、後で詳しく説明する。
【００１８】
また、ベースシャーシ２の両側には、図２に示すように、軸受部２ｂ、２ｃが形成されており、この軸受部２ｂ、２ｃに光ディスク記録・再生装置の２本のガイド軸（主軸と副軸）を挿通することによって、ベースシャーシ２がスライド自在に光ディスク記録・再生装置に搭載されるようになっている。
【００１９】
このような光ピックアップ装置は、光ディスク記録・再生装置の２本のガイド軸に沿ってトラッキング方向に移動しながら、レーザーダイオード１から発せられたレーザービームを光ディスクに照射し、光ディスクからの反射光を光検出器９で検出することによって、記録・再生が行われる。即ち、レーザーダイオード１から発せられたレーザービームは、回折格子６で３ビームに回折されて、ハーフミラー７で直角に反射され、更に立上げミラー８で上方に反射されて、コリメートレンズ５を透過し、対物レンズ４で集光されて光ディスクに照射される。そして、光ディスクで反射された光は、対物レンズ４とコリメートレンズ５を通って立上げミラー８で反射され、ハーフミラー７を透過して光検出器９で検出されることにより、記録・再生が行われるようになっている。
【００２０】
この光ピックアップ装置の大きい特徴は、レーザーダイオード１を保持したＬＤホルダー１０にある。即ち、このＬＤホルダー１０は、図３〜図５に示すように、レーザーダイオード１を挟んで両側の表面に、ベースシャーシ２の側壁面２ａと線接触する一組の蒲鉾形のＬＤ調整用凸部１０ａ，１０ａを一体に形成したものであって、この蒲鉾形のＬＤ調整用凸部１０ａ，１０ａは、ＬＤホルダー１０に対するレーザーダイオード１の回転取付角度に対応する角度で斜め方向に形成されている。この実施形態のＬＤホルダー１０は、レーザーダイオード１を４５°回転させてＬＤホルダー１０の取付孔１０ｂに嵌合固定しているため、それに対応して、蒲鉾形のＬＤ調整用凸部１０ａ，１０ａも図４，図５に示すように４５°の角度で斜め方向に形成されている。そして、このＬＤホルダー１０の両側面には、治具で挟まれるＶ形の凹所１０ｃ，１０ｃが形成されている。
【００２１】
上記のＬＤホルダー１０は、ベースシャーシ２の側壁面２ａに接着固定する前に、ＬＤ調整用凸部１０ａをベースシャーシの側壁面２ａに線接触させたまま、このＬＤ調整用凸部１０ａを支点にして図５に矢印で示すようにＬＤホルダー１０をあおり動作させると共に、ベースシャーシ２の側壁面２ａ沿いにＬＤホルダー１０を摺動させることによって、レーザーダイオード１の光軸、光度分布、取付位置などの調整を従来のバネ板付きのホルダーと同様の精度で行い、調整後、そのままの姿勢でＬＤホルダー１０をベースシャーシ２の側壁面２ａに接着剤１１で接着して取付けられる。このように、上記のＬＤホルダー１０は、それ単独でレーザーダイオード１の調整を行うことができるので、ＬＤホルダー１０以外のバネ板やホルダー受けなどの部品が不要となり、部品点数の削減とコストダウンを図ることができる。
【００２２】
蒲鉾形のＬＤ調整用凸部１０ａ，１０ａを形成する方向、換言すれば、蒲鉾形のＬＤ調整用凸部１０ａ，１０ａがベースシャーシ２の側壁面２ａと線接触する方向は、レーザーダイオード１の回転取付角度に対応した方向に合致させる必要は必ずしもないが、この実施形態のように、蒲鉾形のＬＤ調整用凸部１０ａ，１０ａがレーザーダイオード１の回転取付角度に対応する角度で斜め方向に形成されていると、ＬＤ調整用凸部１０ａ，１０ａを支点としてＬＤホルダー１０をあおり動作させたときに、そのあおり動作の方向にレーザーダイオード１の光軸等を正確に振って調整することが可能となり、レーザーダイオード１０の回転取付角度とＬＤ調整用凸部１０ａ，１０ａの方向が不一致の場合のように、あおり動作の方向とレーザーダイオードの光軸等が振れる方向とのあいだにズレが生じなくなるので、調整作業が一層しやすくなる利点がある。
【００２３】
また、上記のＬＤホルダー１０のように、その両側面に治具で挟まれるＶ形の凹所１０ｃ，１０ｃが形成されていると、ＬＤホルダー１０を落としたり位置ずれさせたりすることなく、治具でＬＤホルダー１０の上記凹部１０ｃ，１０ｃを確実に挟持して、正確にレーザーダイオード１の調整作業やＬＤホルダー１０の接着作業を行える利点がある。
【００２４】
ＬＤ調整用凸部は、上記のようにベースシャーシ２の側壁面２ａに線接触する蒲鉾形のＬＤ調整用凸部１０ａ，１０ａのみに限定されるものではなく、例えば側壁面２ａに点接触する半球状のＬＤ調整用凸部などを、ＬＤホルダー１０のレーザーダイオード１を挟んで両側の表面に形成しても勿論よい。けれども、半球状のＬＤ調整用凸部のように点接触するものは、レーザーダイオード１からＬＤホルダー１０の該半球状のＬＤ調整用凸部を通ってベースシャーシ２へ放熱する効率が悪いのに対し、上記の蒲鉾形のＬＤ調整用凸部１０ａ，１０ａのように線接触するものは、レーザーダイオード１からＬＤホルダー１０のＬＤ調整用凸部１０ａ，１０ａを通ってベースシャーシ２へ放熱する効率が高いため、レーザーダイオード１の劣化を抑制できる利点があるので好ましい。
【００２５】
以上、代表的な実施形態を挙げて本発明の光ピックアップ装置を説明したが、本発明は上記の実施形態のみに限定されるものではなく、ハーフミラーに代えて偏光ビームスプリッターを組み込んだ光ピックアップ装置、例えば、レーザーダイオードから発せられたレーザービームを回折格子で３ビームに回折して偏光ビームスプリッターを透過させ、立上げミラーで上方に反射させて、コリメートレンズ、対物レンズを経て光ディスクに照射すると共に、光ディスクで反射して戻ってきた光を偏光ビームスプリッターで光検出器へ送って検出することにより、記録・再生を行うようにした光ピックアップ装置などにも、勿論、適用可能なものである。
【図面の簡単な説明】
【００２６】
【図１】本発明の一実施形態に係る光ピックアップ装置の底面図である。
【図２】同装置の分解斜視図である。
【図３】図１におけるＬＤホルダー取付部分の拡大図である。
【図４】同装置に取付けられるレーザーダイオードを保持したＬＤホルダーの斜視図である。
【図５】同ＬＤホルダーを倒した状態の斜視図である。
【図６】従来の光ピックアップ装置に組み込まれるレーザーダイオードを保持したホルダーの斜視図である。
【符号の説明】
【００２７】
１    レーザーダイオード
２    ベースシャーシ
２ａ  ベースシャーシの側壁面
３    対物レンズアクチュエータ
４    対物レンズ
５    コリメートレンズ
６    回折格子
７    ハーフミラー
８    立上げミラー
９    光検出器
１０  ＬＤホルダー
１０ａ  ＬＤ調整用凸部
１０ｃ  治具で挟まれる凹部
【図１】
2008084363.tif 000003
【図２】
2008084363.tif 000004
【図３】
2008084363.tif 000005
【図４】
2008084363.tif 000006
【図５】
2008084363.tif 000007
【図６】
2008084363.tif 000008